(57)【要約】【課題】穀粒搬送装置から穀粒タンクの内部へ吐出される穀粒の収量を、精度良く検出できる収穫機が要望されている。【解決手段】脱穀装置６と、脱穀装置６で回収された穀粒を貯留する穀粒タンク７と、脱穀装置６から穀粒タンク７に穀粒を搬送し、穀粒タンク７の内部へ穀粒を吐出する穀粒搬送装置１０と、穀粒搬送装置１０の吐出口に設けられ、穀粒搬送装置１０を通過する穀粒の量に基づく圧力によって収量を検出する検出部２０と、が備えられ、検出部２０は、穀粒タンク７に支持されている。【選択図】図３
2019004790.tif 000002
【特許請求の範囲】
【請求項１】
脱穀装置と、
前記脱穀装置で回収された穀粒を貯留する穀粒タンクと、
前記脱穀装置から前記穀粒タンクに穀粒を搬送し、前記穀粒タンクの内部へ穀粒を吐出する穀粒搬送装置と、
前記穀粒搬送装置の吐出口に設けられ、前記穀粒搬送装置を通過する穀粒の量に基づく圧力によって収量を検出する検出部と、が備えられ、
前記検出部は、前記穀粒タンクに支持されている収穫機。
【請求項２】
前記穀粒搬送装置の搬送方向終端部に、前記穀粒タンクの壁部から前記穀粒タンク内側へ延出する横搬送部が設けられ、
前記吐出口は、前記横搬送部の外周部に形成され、
前記検出部は、前記穀粒タンクの壁部に設けられた支持フレームに支持されている請求項１に記載の収穫機。
【請求項３】
前記横搬送部に回転羽根が設けられ、
前記回転羽根に対する前記検出部の位置が調整可能なように構成されている請求項２に記載の収穫機。
【請求項４】
前記穀粒タンクの壁部に対して前記支持フレームの位置が変更されることにより、前記回転羽根に対する前記検出部の位置が調整可能なように構成されている請求項３に記載の収穫機。
【請求項５】
前記支持フレームに対して前記検出部の位置が変更されることにより、前記回転羽根に対する前記検出部の位置が調整可能なように構成されている請求項３又は４に記載の収穫機。
【請求項６】
前記検出部の機体横方向の幅は、前記回転羽根の機体横方向の幅より広く形成されている請求項３から５の何れか一項に記載の収穫機。
【請求項７】
前記支持フレームは、前記穀粒タンクにおいて対向する側壁に亘っている請求項２から６の何れか一項に記載の収穫機。
【請求項８】
前記検出部の機体横方向の幅は、前記吐出口の機体横方向の両端に亘っている請求項１から７の何れか一項に記載の収穫機。
【発明の詳細な説明】
【技術分野】
【０００１】
本発明は、脱穀装置と、脱穀装置で回収された穀粒を貯留する穀粒タンクと、脱穀装置から穀粒タンクに穀粒を搬送し、穀粒タンクの内部へ穀粒を吐出する穀粒搬送装置と、穀粒搬送装置を通過する穀粒の量に基づく圧力によって収量を検出する検出部と、が備えられた収穫機に関する。
【背景技術】
【０００２】
脱穀装置からスクリューコンベアで送られてきた穀粒を穀粒タンクに吐出する吐出口（文献では「穀粒放出口」）が穀粒タンクの上部に設けられ、吐出口から吐出される穀粒の量が検出部（文献では「投口センサ」）によって検出されるコンバインが、特許文献１に開示されている。検出部は、吐出口から離れた位置に、穀粒タンクの天井に支持された状態で設けられている。
【先行技術文献】
【特許文献】
【０００３】
【特許文献１】特開２０１７‐０７７２０４号公報
【発明の概要】
【発明が解決しようとする課題】
【０００４】
穀粒が放出口から拡散放出される場合、検出部が放出口から離れた位置に設けられる構成では、検出部は、拡散放出される穀粒の一部しか検出できない。このため、例えば、穀粒の放出量の大小によって拡散方向に偏りが生じる場合、収量検出の精度が低下する虞がある。そこで、本願出願人は、特願２０１５‐２５４６１４号にて、吐出口が形成された吐出ケース（文献では「放出ケース」）に、検出部（文献では「荷重検出器」）が設けられたコンバインを提案している。これにより、検出部が、脱穀装置から穀粒タンクに送られてくる穀粒を万遍なく検出できる。
【０００５】
収量の検出に、一般的にロードセルが用いられるが、上記提案では、回転羽根の回転に起因する振動が、吐出ケースを介してロードセルにノイズとして伝達する。このために、ロードセルが穀粒の荷重を正確に検出し切れず、検出精度の向上が阻害されていた。
【０００６】
上記実情に鑑みて、穀粒搬送装置から穀粒タンクの内部へ吐出される穀粒の収量を、精度良く検出できる収穫機が要望されている。
【課題を解決するための手段】
【０００７】
本発明は、
脱穀装置と、
前記脱穀装置で回収された穀粒を貯留する穀粒タンクと、
前記脱穀装置から前記穀粒タンクに穀粒を搬送し、前記穀粒タンクの内部へ穀粒を吐出する穀粒搬送装置と、
前記穀粒搬送装置の吐出口に設けられ、前記穀粒搬送装置を通過する穀粒の量に基づく圧力によって収量を検出する検出部と、が備えられ、
前記検出部は、前記穀粒タンクに支持されていることを特徴とする。
【０００８】
本発明によれば、検出部が穀粒タンクに支持されているため、検出部が吐出口に設けられていても、検出部を穀粒搬送装置から切り離すことができる。これにより、穀粒搬送装置の振動が検出部に伝わり難くなり、検出部における収量の検出精度が向上する。その結果、穀粒搬送装置から穀粒タンクの内部へ吐出される穀粒の収量を、精度良く検出できる。
【０００９】
本発明において、
前記穀粒搬送装置の搬送方向終端部に、前記穀粒タンクの壁部から前記穀粒タンク内側へ延出する横搬送部が設けられ、
前記吐出口は、前記横搬送部の外周部に形成され、
前記検出部は、前記穀粒タンクの壁部に設けられた支持フレームに支持されていると好適である。
【００１０】
本構成では、穀粒タンクの壁部及び支持フレームを上手く利用して、検出部を穀粒タンクの壁部から離れた位置に設けることができる。これにより、吐出口が穀粒タンクの壁部から離れた位置に形成されていても、検出部を、穀粒搬送装置から切り離したまま、吐出口に設けることができる。
【００１１】
本発明において、
前記横搬送部に回転羽根が設けられ、
前記回転羽根に対する前記検出部の位置が調整可能なように構成されていると好適である。
【００１２】
本構成によって、回転羽根と検出部との離間距離を調整できるため、検出部における穀粒の押圧力を調整できる。また、横搬送部と検出部との隙間間隔も調整できるため、穀物の種類に応じて隙間間隔を調整することによって、穀粒が、横搬送部と検出部との隙間に挟まることを防止できる。
【００１３】
本発明において、
前記穀粒タンクの壁部に対して前記支持フレームの位置が変更されることにより、前記回転羽根に対する前記検出部の位置が調整可能なように構成されていると好適である。
【００１４】
本構成であれば、支持フレームを動かすだけの簡素な機構によって、回転羽根に対する検出部の位置を容易に調整できる。
【００１５】
本発明において、
前記支持フレームに対して前記検出部の位置が変更されることにより、前記回転羽根に対する前記検出部の位置が調整可能なように構成されていると好適である。
【００１６】
本構成であれば、検出部を支持フレームに対して動かすだけの簡素な機構によって、回転羽根に対する検出部の位置を容易に調整できる。
【００１７】
本発明において、
前記検出部の機体横方向の幅は、前記回転羽根の機体横方向の幅より広く形成されていると好適である。
【００１８】
本構成によって、回転羽根によって押し出される穀粒が、検出部によって広く受け止められる。これにより、検出部が穀粒を万遍なく検出できる。
【００１９】
本発明において、
前記支持フレームは、前記穀粒タンクにおいて対向する側壁に亘っていると好適である。
【００２０】
本構成であれば、支持フレームが穀粒タンクに両端支持されることによって、支持フレームが振動し難いものとなるため、穀粒搬送装置の振動が検出部に一層伝わり難くなる。
【００２１】
本発明において、
前記検出部の機体横方向の幅は、前記吐出口の機体横方向の両端に亘っていると好適である。
【００２２】
本構成によって、吐出口から吐出される穀粒が、検出部によって広く受け止められる。これにより、検出部が穀粒を万遍なく検出できる。
【図面の簡単な説明】
【００２３】
【図１】コンバインの右側面図である。
【図２】コンバインの平面図である。
【図３】穀粒搬送装置と穀粒タンクとを示すコンバイン背面図である。
【図４】支持フレームに支持された検出部を示す背面図である。
【図５】支持フレームに支持された検出部を示す斜視図である。
【図６】支持フレームに支持された検出部を示す縦断側面図である。
【図７】支持フレームの取付部を示す背面図である。
【図８】穀粒放出装置と検出部との別実施形態を示す平面図である。
【図９】穀粒放出装置と検出部との別実施形態を示す側面図である。
【発明を実施するための形態】
【００２４】
〔収穫機の基本構成〕
本発明による収穫機について、その実施形態を図面に基づいて説明する。
なお、本実施形態では、機体横幅方向における左側又は右側は、機体進行方向に向かう状態における左右を定義するものとする。
【００２５】
図１及び図２に、収穫機の一例である普通型コンバインが示されている。複数の鋼材を連結した機体フレーム１が収穫機に備えられ、機体フレーム１の下部に左右一対のクローラ走行装置２が設けられている。機体フレーム１における前右部にエンジンＥが搭載され、その上方に運転用キャビン３が設けられている。機体フレーム１の前方に刈取部４が昇降自在に装着されている。機体フレーム１の後部において、刈取部４から搬送フィーダ５によって供給された刈取穀稈を全稈投入して脱穀する脱穀装置６と、脱穀装置６によって脱穀された穀粒を貯留する穀粒タンク７と、が左右方向に並んで装着されている。また、穀粒タンク７に隣接して装着されたアンローダ８によって、穀粒タンク７に貯留された穀粒が外部へ排出される。
【００２６】
〔穀粒搬送装置〕
図３に示されているように、脱穀装置６と穀粒タンク７とは穀粒搬送装置１０で結ばれている。穀粒搬送装置１０に、脱穀装置６の底部に設けられた一番物搬送スクリュー１０Ａと、脱穀装置６と穀粒タンク７との間に配置された揚送コンベヤ１０Ｂと、穀粒タンク７の左側壁７ａの前上部を貫通する横搬送部１１と、が備えられている。揚送コンベヤ１０Ｂはバケットコンベヤであり、無端回動チェーン１０Ｅがスプロケット１０Ｄに巻き掛けられて揚送コンベヤ１０Ｂの搬送方向両端に亘っており、無端回動チェーン１０Ｅの外周側に複数のバケット１０Ｆが一定間隔で設けられている。脱穀装置６の底部で回収された穀粒は、一番物搬送スクリュー１０Ａによって脱穀装置６の右横側外方に排出されたのち、揚送コンベヤ１０Ｂによって穀粒タンク７の上方に向けて搬送され、横搬送部１１によって穀粒タンク７の外側から内側へ搬送される。
【００２７】
図３及び図４に示されているように、横搬送部１１に、横送りスクリュー１２と、平板状の回転羽根１３と、回転羽根１３の周囲を覆う吐出ケース１４と、が備えられている。横送りスクリュー１２から搬送方向終端方に、回転軸１２ａが延長されており、回転軸１２ａは横送りスクリュー１２と一体回転する。回転羽根１３は、回転軸１２ａから一方向に延出し、回転羽根１３は回転軸１２ａの軸芯Ｐを中心に回転する。吐出ケース１４の機体後側、即ち図４の一点鎖線で示されている部分に、吐出口１４ａが、機体側面視でＣ字状に形成されている。回転羽根１３の軸芯方向において、吐出口１４ａの幅は、回転羽根１３の幅よりも大きく設定されている。回転羽根１３は矢印Ｒで示された方向に回転し、吐出ケース１４に送り出された穀粒は、回転羽根１３によって吐出口１４ａから穀粒タンク７の内部へ押し出される。
【００２８】
回転軸１２ａから、回転羽根１３と反対側に延出する状態で突起部１５が備えられている。突起部１５の回転は不図示の回転センサによって検出され、突起部１５が回転センサを通過するタイミングで回転パルスが発生し、一回転がカウントされる。
【００２９】
〔検出部〕
図４乃至図６に示されているように、吐出口１４ａに隣り合う状態で、穀粒の放出量を計測する検出部２０が設けられている。検出部２０は支持フレーム３０に支持され、支持フレーム３０は、穀粒タンク７の壁部のうち、左側壁７ａと右側壁７ｂとに亘っている。検出部２０に、検知板２１とロードセル２２とがスペーサ２３を介して備えられている。図５に示されているように、ロードセル２２の一端部２２Ａは、支持フレーム３０にスペーサ２４を介して支持されている。また、ロードセル２２の他端部２２Ｂの上方に、検知板２１がスペーサ２３を介して取り付けられている。
【００３０】
検知板２１は、平板状に形成されており、回転羽根１３の先端が検知板２１に最も接近する状態における回転羽根１３の接線方向に沿って後上がりに傾斜する。検知板２１の左右幅は、吐出口１４ａの左右幅に亘っており、検知板２１の左右幅が回転羽根１３の左右幅よりも広くなるように、検知板２１は形成されている。これにより、吐出口１４ａの左右幅の全幅に亘って吐出される穀粒が、全て検知板２１に押し当てられ、検出部２０が、穀粒搬送装置１０からの吐出される穀粒を万遍なく検知できる。また、検知板２１が後上がりに傾斜するため、検知板２１に押し当てられた穀粒が穀粒タンク７の後部へ跳ね飛ばされる。
【００３１】
図６に示されているように、ロードセル２２の一端部２２Ａに、下方に開口するネジ孔２２ａが形成されている。ボルトが、支持フレーム３０に形成された長孔３１ｃから挿通され、スペーサ２４に形成された挿通孔２４ａを貫通し、ネジ孔２２ａにボルト締めされる。これにより、ロードセル２２の一端部２２Ａは、スペーサ２４を介して支持フレーム３０に片持ち支持される。
【００３２】
図示は省略するが、ロードセル２２の他端部２２Ｂにも、上方に開口するネジ孔が形成されており、これに対応するボルト挿通孔が検知板２１及びスペーサ２３に形成されている。ボルトが、検知板２１に形成された挿通孔から挿通され、スペーサ２３に形成された挿通孔を貫通し、ロードセル２２の他端部２２Ｂにボルト締めされる。
【００３３】
このように、ロードセル２２が支持フレーム３０に片持支持され、かつ、スペーサ２３，２４が、ロードセル２２に対して上下左右対称となるように設けられる構成によって、ロードセル２２の中心部２２Ｃに応力が集中し易くなる。つまり、ロードセル２２が検知板２１から荷重を受けると、他端部２２Ｂにモーメント荷重が掛かり、中心部２２Ｃに歪みが発生する。
【００３４】
ロードセル２２の中心部２２Ｃに歪みが発生することによって、ロードセル２２から電気信号が発生する。この電気信号は、穀粒の収量を評価するための検出信号として用いられ、電気信号は例えば電圧値や電流値で表される。穀粒搬送装置１０から送られてくる穀粒の放出量が多くなる程、検知板２１に対する穀粒の押圧力は大きくなり、ロードセル２２の検出信号も大きくなる。
【００３５】
検知板２１と吐出口１４ａとが隣り合う構成によって、吐出口１４ａから吐出される穀粒を検出部２０が検知し易くなるため、収量の検出精度が向上する。しかし、回転羽根１３が回転する際に、回転羽根１３と突起部１５とに遠心力が掛かるため、回転羽根１３の遠心力と、突起部１５の遠心力と、の合力が釣り合う位置に回転重心が偏倚して、回転羽根１３の回転に起因する振動が発生する。例えば、検知板２１が吐出ケース１４に直接取り付けられる場合、回転羽根１３の回転振動は、吐出ケース１４を介して検知板２１に伝達し、ロードセル２２にも伝達する。このため、回転羽根１３の回転振動が、ノイズとなって検出部２０に検出され、収量検出の精度の向上が阻害される。この問題を解決するための支持フレーム３０について、以下に説明する。
【００３６】
〔支持フレーム〕
図４乃至図６に示されているように、検出部２０は横搬送部１１から切り離された状態で吐出口１４ａに設けられており、検出部２０は支持フレーム３０に支持されている。穀粒タンク７の壁部のうち、左右側壁７ａ，７ｂの夫々に、機体前後方向に沿って壁部フレーム７１，７１が水平な状態で設けられている。支持フレーム３０は、例えば山形鋼の組合せによって構成され、穀粒タンク７の左右両端に亘る支持部材３１と、支持部材３１の左右両端に溶接固定された左右一対の取付部材３２と、を有する。取付部材３２が左右の壁部フレーム７１，７１にボルト固定されることによって、支持フレーム３０は穀粒タンク７に両端支持される。
【００３７】
図６に示されているように、支持部材３１は断面視でＬ字状に形成されている。支持フレーム３０が穀粒タンク７に取り付けられた状態で、支持部材３１は、機体側面視でＶの字を上下反転した形状となり、後上がりに傾斜する後上傾斜部３１ａと、後下がりに傾斜する後下傾斜部３１ｂと、を有する。後上傾斜部３１ａが検出部２０を支持するため、前後幅において、後上傾斜部３１ａは、スペーサ２４の下面よりも広く形成されている。後上傾斜部３１ａの左右両端に、折板部３１ｄ，３１ｄが形成されている。折板部３１ｄ，３１ｄは、後上傾斜部３１ａに対して屈曲し、左右側壁７ａ，７ｂと平行な平板状に形成されている。左右の折板部３１ｄ，３１ｄと、左右の取付部材３２，３２に形成された側部３２ｂ，３２ｂと、が夫々溶接固定される。
【００３８】
図４及び図６に示されているように、後上傾斜部３１ａにおいて、ロードセル２２の片持支持の基端側に対応する位置に、前後方向に沿う長孔３１ｃ，３１ｃが、左右に並んだ状態で形成されている。夫々の長孔３１ｃ，３１ｃにボルトが二本ずつ挿入されて締結されることによって、検出部２０は支持部材３１にボルト固定される。
【００３９】
このように、検出部２０が支持フレーム３０に支持され、横搬送部１１から切り離された状態で、検知板２１と吐出口１４ａとが隣り合う構成によって、吐出口１４ａから吐出される穀粒の押圧力を検出部２０が検知し易いものとなり、かつ、回転羽根１３の回転に起因する振動が検出部２０に伝わり難いものとなる。
【００４０】
検出部２０と支持部材３１とを接合するボルトが締結されていない状態で、検出部２０は、支持部材３１の上を長孔３１ｃに沿ってスライド可能なように構成されている。ここで、検出部２０の検知板２１が後ろ上がりに傾斜することに対応して、支持部材３１の後上傾斜部３１ａは、検知板２１の傾斜角度と平行になるように傾斜する。このことから、長孔３１ｃは、回転羽根１３の先端が検知板２１に最も接近する状態における回転羽根１３の接線方向に沿う。このため、支持フレーム３０に対する検出部２０の位置が、回転羽根１３の上記接線方向に沿って変更可能なものとなっている。このように、回転羽根１３に対する検出部２０の位置が調整可能なように構成されている。また、検知板２１の前下端と吐出ケース１４の下端との隙間間隔が、回転羽根１３の上記接線方向に沿って調整可能なものとなっている。この隙間間隔は、適宜変更可能であるが、例えば、穀粒が挟まらない程度の隙間として８．５ｍｍ程度であることが望ましい。
【００４１】
図４乃至図７に示されているように、左右一対の取付部材３２，３２は、断面Ｌ字状に形成されており、かつ、長手方向が機体前後方向に沿う状態で、取付部材３２，３２は、壁部フレーム７１，７１に水平に載置される。取付部材３２は、壁部フレーム７１と当接する下部３２ａと、支持部材３１の折板部３１ｄに溶接固定される側部３２ｂと、を有する。下部３２ａに、機体前後方向に沿う長孔３２ｃ，３２ｃが、取付部材３２の機体前後方向に並んだ状態で形成されている。また、壁部フレーム７１に、ボルト挿通用の取付孔７１ａ，７１ａが形成されており、取付孔７１ａ，７１ａは、長孔３２ｃ，３２ｃと係合する
【００４２】
左右一対の取付部材３２，３２に形成された長孔３２ｃ，３２ｃ，３２ｃ，３２ｃと、左右の壁部フレーム７１，７１に形成された取付孔７１ａ，７１ａ，７１ａ，７１ａと、が係合した状態でボルトが挿通され、締結されることによって、支持フレーム３０は左右の壁部フレーム７１，７１にボルト固定される。
【００４３】
左右の取付部材３２，３２と左右の壁部フレーム７１，７１とを接合するボルトが締結されていない状態で、左右一対の取付部材３２，３２は、左右の壁部フレーム７１，７１の上を長孔３２ｃに沿ってスライド可能なように構成されている。したがって、穀粒タンク７の左右側壁７ａ，７ｂに対する支持フレーム３０の位置が、変更可能なものとなっている。このことから、回転羽根１３と検知板２１との離間距離を水平方向に沿って調整でき、検知板２１に対する穀粒の押圧力の調整が可能である。また、検知板２１の前下端と吐出ケース１４の下端との隙間間隔を、水平方向に沿って調整できる。
【００４４】
〔別実施形態〕
本発明は、上記の実施形態に例示された構成に限定されるものではなく、以下、本発明の代表的な別実施形態を例示する。
【００４５】
（１）検出部２０の支持構造は、上述した実施形態に限定されない。例えば、検出部２０が、穀粒タンク７の底部から上方に延出するフレーム部材、又は、穀粒タンク７の上部から下方に延出するフレーム部材によって支持される構造でも良い。また、検出部２０が、穀粒タンク７の上下方向、又は、前後方向に亘るフレーム部材に支持される構造でもよい。
【００４６】
（２）吐出口１４ａ及び検出部２０の位置関係は、上述した実施形態に限定されない。例えば、図８及び図９に示されているように、検出部１０４が、穀粒タンクの壁部１００に支持された状態で、矢印Ｒの方向に回転するスクリューコンベヤ１０１の上方の吐出口１０２に設けられる構成であっても良い。この場合、脱穀装置の底部から穀粒を垂直に搬送するスクリューコンベヤ１０１の上端にスクリューコンベヤ１０１と一体回転する回転羽根１０３が設けられ、穀粒タンクの壁部１００のうち、回転羽根１０３が位置する箇所に開口する吐出口１０２が形成されている。検出部１０４に、検知板１０５とロードセル１０６と、検知板１０５及びロードセル１０６を支持する支持ブラケット１０７と、穀粒タンクの壁部１００に検出部１０４を取り付ける取付ブラケット１０８と、が備えられている。この場合、穀粒が回転羽根１０３によって吐出口１０２から跳ね飛ばされて検知板１０５に押し当てられ、ロードセル１０６は検知板１０５に掛かる押圧力を検出する。また、支持ブラケット１０７は、取付ブラケット１０８を揺動支点として揺動自在に構成されており、支持ブラケット１０７の揺動角度を調整することによって、回転羽根１０３に対する検出部１０４の位置が調整可能なように構成されていても良い。
【００４７】
（３）上述した実施形態では、吐出口１４ａは、横搬送部１１の外周部に形成されているが、この実施形態に限定されない。例えば、横搬送部１１の搬送方向末端に、横送りスクリュー１２の軸心方向に開口する吐出口１４ａが形成され、穀粒が機体横方向に吐出される構成でもよい。この場合、検出部２０は、横送りスクリュー１２の軸心方向に沿って、吐出口１４ａと対向する構成でも良い。
【００４８】
（４）上述した実施形態では、検知板２１は平板状に形成されているが、この実施形態に限定されない。例えば、検知板２１は、後端部に近づく程、上方に傾斜するように湾曲状に形成されていても良い。このような形状によって、穀粒タンク７の後方へ跳ね飛ばされる穀粒の量が多くなる。
【００４９】
（５）上述した実施形態では、検出部２０に、検知板２１とロードセル２２とがスペーサ２３を介して備えられているが、検出部２０は、穀粒の収量がロードセル２２のみによって検出されるような構成であっても良い。また、穀粒の収量が、ロードセル２２に代わって、歪みゲージセンサによって検出されるような構成であっても良い。
【００５０】
（６）上述した実施形態では、左右の取付部材３２，３２が左右の壁部フレーム７１，７１に沿ってスライドすることによって、支持フレーム３０は、前後方向に移動可能なものとなっているが、この実施形態に限定されない。例えば、取付部材３２と壁部フレーム７１との間にスペーサを挟ませること等によって、支持フレーム３０の位置が上下方向に調整可能な構成であっても良い。また、取付部材３２が、穀粒タンク７の左右側壁７ａ，７ｂに対して垂直方向にスライド可能な構成であっても良い。
【００５１】
（７）上述した実施形態では、支持フレーム３０は、山形鋼の組合せによって構成されているが、支持フレーム３０は、Ｔ形鋼や溝形鋼等であっても良い。また、支持フレーム３０は、ステンレス鋼の組合せや、一体成形されたプラスチック等によって構成されていても良い。
【産業上の利用可能性】
【００５２】
本発明は、普通型コンバインのみならず、自脱型コンバイン等、穀粒を収穫する収穫機全般に適用可能である。
【符号の説明】
【００５３】
６        ：脱穀装置
７        ：穀粒タンク
１０      ：穀粒搬送装置
１１      ：横搬送部
１２      ：横送りスクリュー
１３      ：回転羽根
１４      ：吐出ケース
１４ａ    ：吐出口
１５      ：突起部
２０      ：検出部
２１      ：検知板
２２      ：ロードセル
３０      ：支持フレーム
３１      ：支持部
３２      ：取付部
【図１】
2019004790.tif 000003
【図２】
2019004790.tif 000004
【図３】
2019004790.tif 000005
【図４】
2019004790.tif 000006
【図５】
2019004790.tif 000007
【図６】
2019004790.tif 000008
【図７】
2019004790.tif 000009
【図８】
2019004790.tif 000010
【図９】
2019004790.tif 000011